(57)【要約】【課題】  不在着信や未読メールの確認後、これら不在着信や未読メールへの対応を忘れることを防止し、また、ユーザの操作を軽減しつつ、容易に応答可能とする。【解決手段】  第２制御部２２は、不在着信や未読メール受信があると、その旨をＬＥＤ１３による発光、スピーカ７Ｌによる鳴動、図示しないバイブレータなどによりユーザに報知するとともに、該報知に対するユーザのキーのワンプッシュ操作により、折り返し電話やメール返信を促すべく、定期的にユーザに報知するよう動作を設定する。そして、定期的な報知において、ユーザが折り返しの意思を示すと、自動的に折り返し電話、またはメール返信を行う。【選択図】  図３
2006081056.tif 000002
【特許請求の範囲】
【請求項１】
着信検出手段と、
この着信検出手段による着信検出時に受信される、発信者を特定する情報を記憶する記憶手段と、
前記着信検出手段による着信検出時に通信処理操作が行われたか否かを判別する判別手段と、
この判別手段により通信処理操作が行われなかった際、その旨を前記発信者を特定する情報に対応付けて前記記憶手段に記憶させる記憶制御手段と、
この記憶制御手段により記憶された情報に基づいて、前記発信者との通信処理操作を促す旨の報知を所定時間後に行う報知手段と
を具備することを特徴とする通信端末。
【請求項２】
前記報知手段による報知を行うか否かを選択する選択手段を更に具備することを特徴とする請求項１に記載の通信端末。
【請求項３】
前記報知手段は、前記発信者を特定する情報を表示する表示手段を含むことを特徴とする請求項１または２に記載の通信端末。
【請求項４】
前記報知手段は、光、音、振動または擬似着信のいずれかで報知することを特徴とする請求項１乃至３の何れかに記載の通信端末。
【請求項５】
前記判別手段により前記発信者との通信処理操作が行われなかった際、既にこの発信者に対して前記報知手段による報知が設定されているか否かを判断する判断手段と、
この判断手段により既に前記発信者に対して前記報知手段による報知が設定されている場合、今回の着信検出に対する前記報知手段の報知を行わないように制御する報知制御手段と
を更に備えることを特徴とする請求項１乃至４の何れかに記載の通信端末。
【請求項６】
通信端末における報知方法であって、
着信検出時に受信される、発信者を特定する情報をメモリに記憶させる記憶ステップと、
着信検出時に通信処理操作が行われたか否かを判別する判別ステップと、
この判別ステップにて通信処理操作が行われなかった際、その旨を前記発信者を特定する情報に対応付けて前記メモリに記憶させる記憶制御ステップと、
この記憶制御ステップにて記憶された情報に基づいて、前記発信者との通信処理操作を促す旨の報知を所定時間後に行う報知ステップと
からなることを特徴とする報知方法。
【請求項７】
通信処理部を備えたコンピュータに実行させる報知プログラムであって、
着信検出時に受信される、発信者を特定する情報をメモリに記憶させる記憶ステップと、
着信検出時に通信処理操作が行われたか否かを判別する判別ステップと、
この判別ステップにて通信処理操作が行われなかった際、その旨を前記発信者を特定する情報に対応付けて前記メモリに記憶させる記憶制御ステップと、
この記憶制御ステップにて記憶された情報に基づいて、前記発信者との通信処理操作を促す旨の報知を所定時間後に行う報知ステップと
を実行させることを特徴とする報知プログラム。
【発明の詳細な説明】
【技術分野】
【０００１】
本発明は、通信端末、報知方法および報知プログラムに関する。
【背景技術】
【０００２】
従来より、携帯電話などの無線通信端末においては、着信時に応答しなかった場合（不在着信、未読メール受信）、着信履歴情報を保存した後、タイマを起動させて、定期的に通知する機能を備えているものがある。
【特許文献１】特開２００１−３３３１５８号公報
【発明の開示】
【発明が解決しようとする課題】
【０００３】
しかしながら、上記従来技術では、一旦内容を確認してしまうと、それ以降、通知しなくなるため、後で折り返し電話をかけようと思ったときや、メールの返事を書こうと思っていたことを、時間が経過すると忘れてしまうという問題があった。
【０００４】
そこで本発明は、不在着信や未読メールの確認後、これら不在着信や未読メールへの対応を忘れることを防止することができ、また、ユーザの操作を軽減しつつ、容易に応答することができる通信端末、報知方法および報知プログラムを提供することを目的とする。
【課題を解決するための手段】
【０００５】
上記目的達成のため、請求項１記載の発明による通信端末は、着信検出手段と、この着信検出手段による着信検出時に受信される、発信者を特定する情報を記憶する記憶手段と、前記着信検出手段による着信検出時に通信処理操作が行われたか否かを判別する判別手段と、この判別手段により通信処理操作が行われなかった際、その旨を前記発信者を特定する情報に対応付けて前記記憶手段に記憶させる記憶制御手段と、この記憶制御手段により記憶された情報に基づいて、前記発信者との通信処理操作を促す旨の報知を所定時間後に行う報知手段とを具備することを特徴とする。
【０００６】
また、好ましい態様として、例えば請求項２記載のように、請求項１に記載の通信端末において、前記報知手段による報知を行うか否かを選択する選択手段を更に具備するようにしてもよい。
【０００７】
また、好ましい態様として、例えば請求項３記載のように、請求項１または２に記載の通信端末において、前記報知手段は、前記発信者を特定する情報を表示する表示手段を含むようにしてもよい。
【０００８】
また、好ましい態様として、例えば請求項４記載のように、請求項１乃至３の何れかに記載の通信端末において、前記報知手段は、光、音、振動または擬似着信のいずれかで報知するようにしてもよい。
【０００９】
また、好ましい態様として、例えば請求項５記載のように、請求項１乃至４の何れかに記載の通信端末において、前記判別手段により前記発信者との通信処理操作が行われなかった際、既にこの発信者に対して前記報知手段による報知が設定されているか否かを判断する判断手段と、この判断手段により既に前記発信者に対して前記報知手段による報知が設定されている場合、今回の着信検出に対する前記報知手段の報知を行わないように制御する報知制御手段とを更に備えるようにしてもよい。
【００１０】
また、上記目的達成のため、請求項６記載の発明による報知方法は、通信端末における報知方法であって、着信検出時に受信される、発信者を特定する情報をメモリに記憶させる記憶ステップと、着信検出時に通信処理操作が行われたか否かを判別する判別ステップと、この判別ステップにて通信処理操作が行われなかった際、その旨を前記発信者を特定する情報に対応付けて前記メモリに記憶させる記憶制御ステップと、この記憶制御ステップにて記憶された情報に基づいて、前記発信者との通信処理操作を促す旨の報知を所定時間後に行う報知ステップとからなることを特徴とする。
【００１１】
また、  上記目的達成のため、請求項７記載の発明による報知プログラムは、通信処理部を備えたコンピュータに実行させる報知プログラムであって、着信検出時に受信される、発信者を特定する情報をメモリに記憶させる記憶ステップと、着信検出時に通信処理操作が行われたか否かを判別する判別ステップと、この判別ステップにて通信処理操作が行われなかった際、その旨を前記発信者を特定する情報に対応付けて前記メモリに記憶させる記憶制御ステップと、この記憶制御ステップにて記憶された情報に基づいて、前記発信者との通信処理操作を促す旨の報知を所定時間後に行う報知ステップとを実行させることを特徴とする。
【発明の効果】
【００１２】
請求項１記載の発明によれば、着信検出手段による着信検出時に受信される、発信者を特定する情報を記憶手段に記憶し、判別手段により、前記着信検出手段による着信検出時に通信処理操作が行われたか否かを判別し、この判別手段により通信処理操作が行われなかった際、記憶制御手段により、その旨を前記発信者を特定する情報に対応付けて前記記憶手段に記憶させ、この記憶制御手段により記憶された情報に基づいて、報知手段により、前記発信者との通信処理操作を促す旨の報知を所定時間後に行うようにしたので、不在着信や未読メールの確認後、これら不在着信や未読メールへの対応を忘れることを防止することができ、また、ユーザの操作を軽減しつつ、容易に応答することができるという利点が得られる。
【００１３】
また、請求項２記載の発明によれば、選択手段により、前記報知手段による報知を行うか否かを選択するようにしたので、不在着信や未読メールの確認後、これら不在着信や未読メールへの対応を忘れることを防止することができるという利点が得られる。
【００１４】
また、請求項３記載の発明によれば、前記報知手段として、表示手段により、前記発信者を特定する情報を表示するようにしたので、不在着信や未読メールの確認後、これら不在着信や未読メールへの対応を忘れることを防止することができるとともに、発信者を容易に識別することができるという利点が得られる。
【００１５】
また、請求項４記載の発明によれば、前記報知手段により、光、音、振動または擬似着信のいずれかで報知するようにしたので、不在着信や未読メールの確認後、これら不在着信や未読メールへの対応を忘れることを防止することができるという利点が得られる。
【００１６】
また、請求項５記載の発明によれば、前記判別手段により前記発信者との通信処理操作が行われなかった際、判断手段により、既にこの発信者に対して前記報知手段による報知が設定されているか否かを判断し、この判断手段により既に前記発信者に対して前記報知手段による報知が設定されている場合、報知制御手段により、今回の着信検出に対する前記報知手段の報知を行わないように制御するようにしたので、不在着信や未読メールの確認後、これら不在着信や未読メールへの対応を忘れることを防止することができ、また、ユーザの操作を軽減しつつ、容易に応答することができるという利点が得られる。
【００１７】
また、請求項６記載の発明によれば、記憶ステップで、着信検出時に受信される、発信者を特定する情報をメモリに記憶させ、判別ステップで、着信検出時に通信処理操作が行われたか否かを判別し、この判別ステップにて通信処理操作が行われなかった際、記憶制御ステップで、その旨を前記発信者を特定する情報に対応付けて前記メモリに記憶させ、報知ステップで、この記憶制御ステップにて記憶された情報に基づいて、前記発信者との通信処理操作を促す旨の報知を所定時間後に行うようにしたので、不在着信や未読メールの確認後、これら不在着信や未読メールへの対応を忘れることを防止することができ、また、ユーザの操作を軽減しつつ、容易に応答することができるという利点が得られる。
【００１８】
また、請求項７記載の発明によれば、着信検出時に受信される、発信者を特定する情報をメモリに記憶させる記憶ステップと、着信検出時に通信処理操作が行われたか否かを判別する判別ステップと、この判別ステップにて通信処理操作が行われなかった際、その旨を前記発信者を特定する情報に対応付けて前記メモリに記憶させる記憶制御ステップと、この記憶制御ステップにて記憶された情報に基づいて、前記発信者との通信処理操作を促す旨の報知を所定時間後に行う報知ステップとをコンピュータに実行させるようにしたので、不在着信や未読メールの確認後、これら不在着信や未読メールへの対応を忘れることを防止することができ、また、ユーザの操作を軽減しつつ、容易に応答することができるという利点が得られる。
【発明を実施するための最良の形態】
【００１９】
以下、本発明の実施の形態を、図面を参照して説明する。
【００２０】
Ａ．実施形態の構成
図１は、本発明の実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００２１】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００２２】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００２３】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音などを鳴動するためのスピーカ７Ｒ、７Ｌが配置されている。
【００２４】
また、図２は、蓋を閉じた状態における携帯電話１の正面、および各側面を示す外観図である。図２（ａ）は、携帯電話１の蓋を閉じた状態（蓋側）を示し、図２（ｂ）は、同図（ａ）のＣ方向から見た側面を示し、図２（ｃ）は、同図（ａ）のＢ方向から見た側面を示し、図２（ｄ）は、同図（ａ）のＣ方向から見た側面を示し、図２（ｄ）は、同図（ａ）のＤ方向から見た側面を示している。
【００２５】
本体部３は、その一方の側部に、第１サイドキー９０、第２サイドキー９１、シャッターキー９２を備える。第１サイドキー９０は、待受け状態でマナーキーとして機能する。第２サイドキー９１は、メモキーとして機能する。シャッターキー９２は、蓋部２を閉じた状態でのカメラモードでシャッターキーとして機能する。また、本体部３は、その他方の側部に、クレイドル用コネクタ３２、メモリカードスロット（カバー）３３を備える。クレイドル用コネクタ３２は、携帯電話を横向きにクレイドル、すなわち充電台を兼ねた設置台に設置した際に、設置台からの電力で図示しないバッテリを充電するためのものである。メモリカードスロット３３には、ＳＤカードなどの記録媒体が装着される。
【００２６】
図３は、携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００２７】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００２８】
なお、内蔵アンテナ１６とメインアンテナ１１は、蓋部２を回動させた状態であっても、閉じた状態であっても、スペースダイバーシチ受信を行うのに有効な位置関係にある。
【００２９】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は、２つの制御部を傭えており、通信処理全般については第１制御部２０、その他、撮影処理、画像処理、および、映像の再生処理に関しては後述の第２制御部２２で行う。
また、本実施形態では、第１制御部２０は、不在着信や未読メール受信があると、その旨を光、音、バイブレータなどによりユーザに報知するとともに、これら不在着信や未読メールの内容を確認後のユーザのワンプッシュ操作により、折り返し電話やメール返信を促すべく、定期的にユーザに報知するよう動作を設定する（リマインダ機能）。さらに、本実施形態では、定期的な報知に対して、ユーザのワンプッシュ操作などにより、ユーザが折り返しの意思を示すと、自動的に折り返し電話の発信画面、またはメール返信を行う設定画面を表示するようになっている。
【００３０】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００３１】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また、２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００３２】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より串力される符号変調された信号をほぼ同時にＱＡＭ系方式のデジタル信号に復号、合成して、インターフェイス処理部２０４を介してバス２００に出カするプログラムを記憶する。
【００３３】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチ３１は、第２制御部２２からの制御により、ムービー再生モードにおいては、ムービーファイルに格納されるオーディオデータがステレオ対応である場合、第２スピーカ７Ｒ、第３スピーカ７Ｌの両方にオーディオ信号を出力する。第２スピーカ７Ｌは、報知ドライバ２６によっても駆動され、着信報知音を発生する。
【００３４】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。なお、本実施の形態においては、携帯電話機能による着信割り込み時において上述の第１制御部２０との並行処理が可能だが、これらの処理に伴うバスへのアドレス／データの割り込み処理については、インターフェイス処理部２０４が行うものとする。
【００３５】
プログラムＲＯＭ２３は、ムービー再生モード、カメラモード等の各処理プログラムを格納する。ＲＡＭ２４は、図４（ａ）に示されるように着信／メール受信履歴管理テーブル２４１、着信履歴データ２４２、発信履歴データ２４３、アドレス帳データ２４４、及び各種データ２４５を記憶している。着信／メール受信履歴管理テーブル２４１は、不在着信または未読メールの受信があるとその都度更新される。詳細には、図４（ｂ）に示されるように着信／受信者エリア２４１１、着信種別を示す種別エリア２４１２、定期的な報知による通知が設定されているか否かを示す通知有無フラグエリア２４１３、定期的な報知を行う場合、その報知方法を登録する報知方法エリア２４１４、報知間隔エリア２４１５、返信方法エリア２４１６、および折り返しお知らせエリア２４１７からなる。着信履歴データ２４２は図５（ａ）に示されるように、一件毎にレコードＮｏ．で管理されており、その管理内容としては、着信日時（時刻）エリア２４２２、着信データエリア２４４３とこれらに対応して着信時に応答（本実施例においては通話、もしくはメール内容の確認を行う意味）したか否かを示す着信応答フラグエリア２４２４からなる。アドレス帳データ２４４は図５（ｂ）に示されるように、一件毎に上記着信履歴データとは異なるレコードＮｏ．で管理されており、その管理内容としては、氏名エリア２４４２、電話番号１エリア２４４３、電話番号２エリア２４４４、メールアドレス１エリア２４４５、メールアドレス２エリア２４４６からなる。
【００３６】
尚、着信／受信者エリア２４１１の通知有無フラグエリア２４１３は、着信／受信の確認の際にユーザによる例えば図７に示すような「１」キー８１１の押下、もしくは、「２」キー８１２の押下が検出され、お知らせチェックが設定されると、これを検出しフラグが設定される。また、報知間隔エリア２４１５は、報知の時間間隔や報知のきっかけとなるイベント（操作）を示し、例えば、１分毎、２分毎、あるいは蓋部を開けたときなどを含む。返信方法エリア２４１６は、着信または受信した相手に対する返信方法を格納し、例えば、電話、メールを含む。そして、折り返しお知らせエリア２４１７は、折り返し電話またはメール送信の状態を示し、折り返し電話またはメール送信を未だ行っていない場合に「待機」、行った場合に「解除」となる。
【００３７】
次に、圧縮伸張処理部２５は、ＭＰＥＧ−２、−４に対応し、カメラモードにて撮影された静止画／動画を圧縮処理するとともに、ムービー再生モードにおけるデータ通信モードによりダウンロ−ドしたムービーファイルや、カメラモードにおける静止画／動画を伸張処理する。
【００３８】
報知ドライバ２６は、着信処理を検出した際、これを報知せしめるために報知用ＬＥＤ１３、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。
【００３９】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００４０】
クレイドル用コネクタ３２は、クレイドル、すなわち充電台を兼ねた設置台に設置した際に、設置台からの電力で図示しないバッテリを充電するためのものであり、コネクタインターフェース３１を介してバスに接続されている。メモリカードスロット３３０（３３）には、ＳＤカードなどの記録媒体３３１が装着される。
【００４１】
Ｂ．実施形態の動作
次に、上述した実施形態の動作について説明する。
Ｂ−１．リマインダ機能設定処理
ここで、図６は、本実施形態による携帯電話１のリマインダ機能（定期的に報知を行う機能）設定処理の作を説明するためのフローチャートである。また、図７は、不在着信や未読メール受信があった場合において、折り返し電話やメール返信を促すべく、定期的にユーザに報知するようリマインダ機能を有効にするためのユーザ操作の一例を示す模式図である。
【００４２】
携帯電話１では、まず、ユーザがＲＡＭ２４に格納される着信履歴データ２４２より、着信応答フラグ２４２４でフラグがセットされていない、すなわち不在着信や未読メールを選択的に呼び出してその履歴を確認すると、それが電話着信であるか否かを判断し（ステップＳ１０）、電話着信である場合には、発信者番号がＲＡＭ２４のアドレス帳データ２４４にあるか否かを判断する（ステップＳ１２）。そして、発信者番号がアドレス帳データ２４４の特定のレコードにない場合には、既に同一の発信者番号が着信／メール受信履歴管理テーブル２４１に設定されているか否か判断する（ステップＳ１４）。設定されている場合は、発信者番号を設定し、種別エリア２４１２に「電話着信」を設定するが、過去に同一の発信者番号でお知らせチェックを設定しているものとみなして、通知有無フラグエリア２４１３にはフラグをセットせずに履歴の確認処理に戻る。一方、設定されていない場合は、お知らせチェックを行うか否かを判断する（ステップＳ１６）。ここで、ユーザによって所定の操作（例えば、図７に示す「１」キー８１１を押下するなど）が行われると、お知らせチェックを行うと指示されたと判断し、図４（ｂ）に示す着信／メール受信履歴管理テーブル２４１に対して、着信／受信者エリア２４１１に発信者番号を設定し、種別エリア２４１２に「電話着信」、通知有無フラグエリア２４１３を立て、報知方法エリア２４１４に「音（デフォルト）」、報知間隔エリア２４１５に「２分（デフォルト）」、返信方法エリア２４１６に「電話」、折り返しお知らせエリア２４１７に「待機」を夫々設定する（ステップＳ２０）。
【００４３】
一方、ステップＳ１６のお知らせチェックを行うか否かの判断において、ユーザによって所定の操作（例えば、図７に示す「１」キー８１１を押下するなど）が行われないと、折り返しお知らせの対象外となる（ステップＳ２２）。
【００４４】
一方、発信者番号がアドレス帳データ２４４にあった場合には、そのアドレス帳にある電話番号１、もしくは電話番号２に対応するレコードＮｏ．が、既に着信／メール受信履歴管理テーブル２４１に設定されているか否か判断する（ステップＳ１８）。設定されている場合は、対応するレコードＮｏ．を設定し、種別エリア２４１２に「電話着信」を設定するが、過去に同一のアドレス帳のレコードＮｏ．でお知らせチェックを設定しているものとみなして、通知有無フラグエリア２４１３にはフラグをセットせずに履歴の確認処理に戻る。一方、設定されていない場合は、お知らせチェックを行うか否かを判断する（ステップＳ２４）。ここで、ユーザによって所定の操作（例えば、テンキーの「１」を押下する）が行われないと、折り返しお知らせの対象外となる（ステップＳ２６）。
【００４５】
一方、ユーザによって所定の操作（例えば、図７に示す「１」キー８１１を押下するなど）が行われた場合には、お知らせチェックを行うと指示されたと判断し、報知方法および報知間隔を設定する。すなわち、報知方法エリア２４１４を「擬似着信」、「光」、「バイブ」、「音」のうちユーザ選択のいずれかに設定し、報知間隔エリア２４１５を「１分」、「２分」、「蓋開」（蓋部２を開いたタイミング）のうちユーザ選択のいずれかに設定する（ステップＳ２８）。
【００４６】
次に、折り返しを電話発信するか否かを判断する（ステップＳ３０）。ここで、図７に示すように、ユーザによって、例えば、図７に示す「１」キー８１１が押下されると、電話発信で折り返すと指示されたと判断し、「２」キー８１２が押下されると、メール送信で折り返すと指示されたと判断する。そして、電話発信で折り返すと指示された場合には、図４（ｂ）に示す着信／メール受信履歴管理テーブル２４１に対して、着信／受信者エリア２４１１にアドレス帳データ２４４の対応するレコードＮｏ．を、種別エリア２４１２に「電話着信」（複数登録されている場合は電話番号１か２のどちらによるものかを含め）を設定し、通知有無フラグエリア２４１３にフラグを立て、報知方法エリア２４１４に上記設定値、報知間隔エリア２４１５に上記設定値、返信方法エリア２４１６に「アドレス帳データに格納されている電話番号（複数登録されている場合は１か２の何れか）」、折り返しお知らせエリア２４１７に「待機」を設定する（ステップＳ３２）。
【００４７】
一方、メール送信で折り返すと指示された場合には、図４（ｂ）に示す着信／メール受信履歴管理テーブル２４１に対して、着信／受信者エリア２４１１にアドレス帳データ２４４の対応するレコードＮｏ．を、種別エリア２４１２に「電話着信」（複数登録されている場合は電話番号１か２のどちらによるものかを含め）を設定し、通知有無フラグエリア２４１３にフラグを立て、報知方法エリア２４１４に上記設定値、報知間隔エリア２４１５に上記設定値、返信方法エリア２４１６に「アドレス帳データに格納されているメール（複数登録されている場合は１か２の何れか）」、折り返しお知らせエリア２４１７に「待機」を設定する（ステップＳ３４）。
【００４８】
また、ステップＳ１０において、電話着信でない場合には、メール受信へと進む（ステップＳ３６）。メール受信の場合にも、上述した電話着信とほぼ同じであるので説明を省略する。電話着信と異なる点は、図４（ｂ）に示す着信／メール受信履歴管理テーブル２４１に対して、種別エリア２４１２に「メール受信」が設定されることである。
【００４９】
Ｂ−２．折り返しお知らせ報知処理
次に、本実施形態による携帯電話１の折り返しお知らせ報知処理について説明する。ここで、図８は、携帯電話１の折り返しお知らせ報知処理の動作を説明するためのフローチャートである。当該フローチャートは、所定の間隔で実行される。また、図９は、折り返しお知らせ報知を行うタイミングの一例を示す模式図である。
【００５０】
第２制御部２２は、報知間隔エリア２４１５に従って、着信／メール受信履歴管理テーブル２４１を参照し、報知間隔に達したか否かを判断する（ステップＳ４０）。そして、いずれの報知間隔にも達していない場合には、折り返しお知らせエリア２４１７を「待機」中のままメインルーチン（例えば、着信待機）へ戻る（ステップＳ４２）。
【００５１】
一方、いずれかの報知間隔に達している場合には、該当する不在着信／未読メール受信に対する報知方法エリア２４１４に従って、ユーザに折り返しがある旨を報知する。例えば、図４（ｂ）において、着信／受信者エリア２４１１に「アドレス帳データのレコードＮｏ．」が設定される場合には、１分間隔で擬似着信（通常の着信と同じ報知方法）を鳴動して報知する。また、着信／受信者エリア２４１１に「０３５ＸＸＸＸＸＸＸＸ」が設定されている場合には、図９に示すように、蓋部２を開けたときに、ＬＥＤ１３を点灯（または点滅）させて報知する。
【００５２】
次に、第２制御部２２は、報知した結果、ユーザからの折り返し操作、すなわち報知に気がついたユーザが折り返し電話や折り返しメール返信を行うべく所定の操作を行ったか否かを判断する（ステップＳ４６）。そして、ユーザが所定の折り返し操作を行わなかった場合には、やはり折り返しお知らせエリア２４１７を「待機」中のままメインルーチン（例えば、着信待機）へ戻る（ステップＳ４８）。
【００５３】
これに対して、ユーザが所定の折り返し操作を行った場合には、着信／メール受信履歴管理テーブル２４１を参照し、該当する不在着信／未読メール受信に対する着信／受信者エリア２４１１、返信方法エリア２４１６の設定内容に従って折り返し動作（折り返し電話発信／折り返しメール送信）を行う（ステップＳ５０）。例えば、折り返し電話発信であれば、発信電話番号として、自動的に上記着信／受信者エリア２４１１の電話番号で発信動作を行う。また、折り返しメール送信であれば、あて先のメールアドレスに自動的に上記着信／受信者２４１１エリアに設定されたメールアドレスが挿入されたメールを開く。その後、該当不在着信／未読メール受信に対する折り返しお知らせエリア２４１７を「解除」に設定し（ステップＳ５２）、メインルーチン（例えば、着信待機）へ戻る。
【００５４】
上述した実施形態によれば、不在着信や未読メールの内容が確認されたとき、該当不在着信または該当未読メールに対して折り返し確認すると指示されると、不在着信または未読メールに対して報知方法および報知間隔を設定し、この報知方法によってユーザに報知間隔で報知するようにしたので、不在着信や未読メールの確認後、これら不在着信や未読メールへの対応を忘れることを防止することができる。また、上述した実施形態によれば、折り返し確認すると指示された不在着信または未読メールに対する応答方法を設定し、報知に対して折り返し応答が指示された場合、設定された応答方法に基づいて、該当不在着信または該当未読メールの発信元へ応答するようにしたので、不在着信や未読メールの確認後であっても、ユーザの操作を軽減しつつ、容易に応答することができる。また、上述した実施形態によれば、不在着信または未読メールに対して音声通話による応答とするか、メールによる応答とするかを選択可能とするようにしたので、どのような手段で応答するかを容易に選択することができる。
【００５５】
なお、上述した実施形態においては、光、音、振動あるいは擬似着信で報知するようにしたが、これに限らず、例えば、擬似着信で報知し、ユーザが電話に出ると、「○○さんへ電話する」、「△△さんへメールする」と合成音声により読み上げるようにしてもよい。また、折り返しお知らせのプライオリティを設定しておくことにより、蓋部２を閉じている状態から、蓋部２を開けたときに、必ず、プライオリティの高い発信元への発信またはメール送信の画面を表示することにより、応答するのを忘れないようにしてもよい。
【図面の簡単な説明】
【００５６】
【図１】本発明の実施形態に係る携帯電話１の蓋を開いた状態と閉じた状態の正面図に相当する外観図である。
【図２】蓋を閉じた状態における携帯電話１の正面、および各側面を示す外観図である。
【図３】携帯電話１の回路構成を示すブロック図である。
【図４】ＲＡＭ２４の記憶内容を示すものであり、（ａ）はＲＡＭ２４の全体の記憶領域を示す概念図、（ｂ）は着信／メール受信履歴管理テーブル２４１の記憶内容を示す概念図である。
【図５】（ａ）は着信履歴データ２４２の記憶内容を示す概念図、（ｂ）はアドレス帳データ２４４の記憶内容を示す概念図である。
【図６】本実施形態による携帯電話１のリマインダ機能設定処理の作を説明するためのフローチャートである。
【図７】不在着信や未読メール受信があった場合において、折り返し電話やメール返信を促すべく、定期的にユーザに報知するようリマインダ機能を有効にするためのユーザ操作の一例を示す模式図である。
【図８】携帯電話１の折り返しお知らせ報知処理の動作を説明するためのフローチャートである。
【図９】折り返しお知らせ報知を行うタイミングの一例を示す模式図である。
【符号の説明】
【００５７】
１  携帯電話（通信端末）
２  蓋部
３  本体部
５  第１スピーカ
６  表示部（報知手段）
７Ｒ  第２スピーカ
７Ｌ  第３スピーカ（報知手段）
８  キー入力部（選択手段）
１０  マイク
１１  メインアンテナ
１２  第２ヒンジ部
１３  報知用ＬＥＤ（報知手段）
１６  内蔵アンテナ
１７  撮像レンズ
１８  受信信号処理部
１９  通信信号処理部
２０  第１制御部（着信検出手段、判別手段、記憶制御手段）
３１  スイッチ
２２  第２制御部（表示手段）
２３  プログラムＲＯＭ
２４  ＲＡＭ
２６  報知ドライバ（報知手段）
２７  スイッチ処理部
３０  音声出力系ドライバ（報知手段）
６１  表示ドライバ
６２  表示バッファ
９０  第１サイドキー
９１  第２サイドキー
９２  シャッターキー
１００  第１ヒンジ部
２０１  スイッチ回路
２０２  通信データ処理部
２０３  システムＲＯＭ
２０５  音声処理部
２０６  スイッチ回路
２０７  オーデイオアンプ
２４１  着信／メール受信履歴管理テーブル
２４２  着信履歴データ（記憶手段）
２４４  アドレス帳データ
３３０  メモリカードスロット
３３１  カード媒体
８１１  「１」キー（選択手段）
８１２  「２」キー（選択手段）
２４１１  着信／受信者２４１１エリア
２４１３  通知有無フラグエリア
２４１４  報知方法エリア
２４１５  報知間隔エリア
２４１６  返信方法エリア
２４１７  折り返しお知らせエリア
【図１】
2006081056.tif 000003
【図２】
2006081056.tif 000004
【図３】
2006081056.tif 000005
【図４】
2006081056.tif 000006
【図５】
2006081056.tif 000007
【図６】
2006081056.tif 000008
【図７】
2006081056.tif 000009
【図８】
2006081056.tif 000010
【図９】
2006081056.tif 000011